(57)【要約】【課題】本考案は、便利な昇降機能付きの年配者向け椅子を提供する。【解決手段】座り座と、前記座り座に連接される背凭れと、二つの手摺枠と、昇降気圧棒と、を備える。前記二つの手摺枠は前記座り座の両側に設置され、前記二つの手摺枠の間に、上記座り座の下方に位置する台板が設置される。前記昇降気圧棒は、前記座り座の底部に連接されて、前記台板に実装され、前記座り座の昇降を制御するハンドルを有する。前記座り座の昇降を制御することで、年配者に向き、ユーザのニーズに応じて高さを調整でき、操作が簡単で省力である年配者向け椅子を提供できる。【選択図】図１
0003149291.tif 000002
【実用新案登録請求の範囲】
【請求項１】
座り座と、
上記座り座に連接される背凭れと、
上記座り座の両側に設置される二つの手摺枠であって、該二つの手摺枠の間に、上記座り座の下方に位置する台板が設置される上記二つの手摺枠と、
上記座り座の底部に連接されて、上記台板に実装され、上記座り座の昇降を制御するハンドルを有する昇降気圧棒と、
を備えることを特徴とする便利な昇降機能付きの年配者向け椅子。
【請求項２】
上記座り座と上記背凭れとの内部にそれぞれ、座り座フレームと背凭れフレームが設けられ、上記座り座フレームと上記背凭れフレームとは枢着され、上記座り座フレームと上記背凭れフレームとの間に無段階定位気圧棒が設けられ、上記無段階定位気圧棒に外側握り手を有する制御棒が設置されることを特徴とする請求項１に記載の便利な昇降機能付きの年配者向け椅子。
【請求項３】
上記無段階定位気圧棒のピストン棒の先端から中心弁棒が露出し、上記制御棒の外周に、ねじりばねが遊嵌され、上記制御棒の一端に、上記無段階定位気圧棒の上記中心弁棒に対応するろ塊が設けられることを特徴とする請求項２に記載の便利な昇降機能付きの年配者向け椅子。
【請求項４】
上記二つの手摺枠は、それぞれ、立設された二つの柱体を備え、各手摺枠の二つの柱体は、上板と底板によって連接され、上記台板は上記二つの手摺枠の各底板の間に設置され、上記二つの手摺枠の上記柱体の間に、たすき棒が連接されることを特徴とする請求項１ないし３のいずれかに記載の便利な昇降機能付きの年配者向け椅子。
【請求項５】
上記座り座の底部に、揺動装置が設置され、上記揺動装置は底座と連接部材と揺動部材とからなり、上記底座は上記座り座の底部にロックされ固装され、上記底座は上記連接部材に枢着され、上記連接部材は上記昇降気圧棒に連結され、上記揺動部材の下面に無段階式定位装置が設けられ、上記無段階式定位装置は複数の弾条片と制御棒とを備え、上記制御棒によって上記弾条片のテンションが制御されて定位され、上記揺動部材の中央が上記底座に枢着され、上記揺動部材の先端が上記連接部材に枢着され、上記背凭れから枠体が延び、上記枠体が上記揺動部材にロックされて固装されていることを特徴とする請求項１ないし４のいずれかに記載の便利な昇降機能付きの年配者向け椅子。
【考案の詳細な説明】
【技術分野】
【０００１】
本考案は、年配者向け椅子に関し、特に、年寄りに適用する便利な昇降機能付きの年配者向け椅子に関する。
【背景技術】
【０００２】
「高齢化」は、各国の避けられない問題である。高齢化は、経済発展とともに、必ず発生する。その過程で、高齢化の程度が異なるだけである。また、新生児の数が、年々、急激に減少し、新生児の数の減少と平均寿命の延長により、年配者の割合が、急激に上昇する。高齢化現象は、先進国家では、ごく普通の現象になり、それに伴って、色々の問題が形成され、各国に重要視されて、いろんな対策措置が採用されている。わが国の年配者の割合は、先進の欧米国家に比較すると、それほど深刻ではないが、わが国の高齢化現象も拍車を掛けて問題となっていて、それに対して、即時に対応すれば、高齢化問題の悪化を防止できる。そうでなければ、将来に、その問題を解消するため、膨大なコストを費やすことになる。
【０００３】
一般的に、高齢化社会に伴う年配者問題は、健康や住居、経済、社会適応及びレジャー等に分類され、住居においては、年配者の住居環境をより快適且つ安全にするため、家具の改良が、より重要視される。その中でも、「椅子」は、住宅に不可欠の用具の一つである。従来の椅子の構造は、基本として、座り座と背凭れ、手摺及び椅子の足からなり、既存のオフィス椅子構造は、従来の椅子の構造に加え、普通、座り座高さ調整機構と背凭れ傾斜調整機構を備える。しかし、一般（既存）のオフィス椅子は、重心が安定しなくて、転んだりする問題があるため、年配者には不向きである。
【０００４】
特許文献１に掲示された「木質椅子の背凭れ調節装置」は、主として、木質椅子の座り座と背凭れとの間に、連動機構や枢軸、カンチレバー及び制御セット等の構造を設けることで、適当に、背凭れの仰角や俯角の程度を調節する。上記の木質椅子は、重心が安定しなくて転んだりする問題がないため、比較的に、年配者に適合する。しかしながら、上記木質椅子の座り座の高さが一定で、ユーザのニーズに応じて座り座の高さを調整できないので、年配者は血液循環がよくない場合、座り座高さが高すぎても、低すぎても、不快適になる。
【０００５】
また、異なる消費者に応じて高さを調整できる年配者向けの椅子が市販に登場した。この製品は、手摺を組立てる時、消費者は自由に高さを選択して組立てることができる。しかしながら、上記の市販品は、高さを調整する時、手摺部のねじを外してから、高さを調整して再び組み立てるという構造なので、時間や人力が掛かり、不便である。
【０００６】
本考案者は、上記欠点を解消するため、慎重に研究し、また、学理を活用して、有効に上記欠点を解消でき、設計が合理的である本考案を提案する。
【先行技術文献】
【特許文献】
【０００７】
【特許文献１】台湾特許公報番号第４４８７２５号
【考案の概要】
【考案が解決しようとする課題】
【０００８】
本考案の主な目的は、年配者に向き、ユーザのニーズに応じて、簡単な操作で、高さを調整できる便利な昇降機能付きの年配者向け椅子を提供する。
【課題を解決するための手段】
【０００９】
上記の目的を達成するため、本考案にかかる便利な昇降機能付きの年配者向け椅子は、座り座と、座り座に連接される背凭れと、二つの手摺枠と、昇降気圧棒と、を備える。前記二つの手摺枠は座り座の両側に設置され、二つの手摺枠の間に、上記座り座の下方に位置する台板が設置される。前記昇降気圧棒は、上記座り座の底部に連接されて、上記台板に実装され、上記座り座の昇降を制御するハンドルを有する。
【考案の効果】
【００１０】
本考案は以下の優れた利点を持つ。年配者の使用に適合し、座り座の下方にある昇降気圧棒で、椅子に腰かけたままで、座り座の高さを調整でき、また、操作がより簡単且つ省力であり、非常に便利である。
【００１１】
また、本考案の背凭れの傾斜角度は、無段階定位気圧棒を利用して調節するのが好ましく、これにより、椅子にかけたままで背凭れの傾斜角度を調整できる。
【００１２】
また、本考案は、座り座の底部に、揺動装置が設置され、背凭れと座り座が連動されて、背凭れに負荷をかけると、より椅子の快適感が得られる。
【図面の簡単な説明】
【００１３】
【図１】本考案に係る便利な昇降機能付きの年配者向け椅子の斜視図である。
【図２】本考案に係る便利な昇降機能付きの年配者向け椅子の側面図である。
【図３】本考案の座り座と背凭れの内部構造の斜視図である。
【図４】本考案の背凭れの傾斜調整機構の斜視図である。
【図５】本考案に係る便利な昇降機能付きの年配者向け椅子の他の実施例の局部（揺動装置）の斜視図である。
【図６】本考案に係る便利な昇降機能付きの年配者向け椅子の他の実施例の局部（揺動装置）の側面図である。
【図７】本考案に係る便利な昇降機能付きの年配者向け椅子の使用状態の概念図（一）である。
【図８】本考案に係る便利な昇降機能付きの年配者向け椅子の使用状態の概念図（二）である。
【考案を実施するための形態】
【００１４】
以下、図面を参照しながら、本考案の特徴や技術内容について、詳しく説明するが、それらの図面等は、参考や説明のためであり、本考案は、それによって制限されることが無い。
【００１５】
図１乃至図３に示すように、本考案に係る便利な昇降機能付きの年配者向け椅子は、座り座１と、背凭れ２と、二つの手摺枠３と、昇降気圧棒４とを備える。上記座り座１の内部と上記背凭れ２の内部に、それぞれ、座り座フレーム１１と背凭れフレーム２１が設けられ、上記座り座フレーム１１と上記背凭れフレーム２１が隣接する両側はそれぞれ、枢軸２２により枢着される。これにより、背凭れ２が座り座１に連接される。また、図３に示すように、座り座フレーム１１の支持座１２に気圧棒５の一端が設置され、支持体を介して背凭れフレーム２１に気圧棒５の他端が設置されている。上記気圧棒５は、無段階定位気圧棒で、外側握り手６１を有する制御棒６が上記気圧棒５に直交する方向に設置されている。これにより、無段階式で安全的に背凭れフレーム２１の傾斜角度を調整する。
【００１６】
図３と図４に示すように、上記気圧棒５のピストン棒５１の先端が、座り座フレーム１１の支持座１２に貫通して、上記ピストン棒５１の先端で内部制御弁の中心弁棒５２が露出する。上記制御棒６は、上記気圧棒５に直交する方向に、座り座フレーム１１の支持座１２に嵌設されて枢着されている。上記制御棒６の外周に、ねじりばね６２が遊嵌されている。制御棒６の一端には、ろ塊（当接板）６３が設けられ、上記ろ塊６３は、上記気圧棒５の中心弁棒５２に対応する位置に設けられている。制御棒６のろ塊６３は、通常状態で、気圧棒５の中心弁棒５２から離れて設けられ、気圧棒５は確実に不動に固定保持される。ユーザが制御棒６の外側握り手６１を操作すると、そのろ塊６３により、気圧棒５の中心弁棒５２が押し入れられ、気圧棒５のロック状態が解除される。この時、ユーザが後へ背凭れフレーム２１に負荷を掛けると、背凭れフレーム２１は枢軸２２を軸心として回動し、俯角仰角の傾斜角度が調整できるようになる（図８のように）。これにより、背凭れ２は、ユーザのニーズに応じて、最適な角度に調整される。
【００１７】
上記二つの手摺枠３は、座り座１の両側に設置される。本実施例において、上記二つの手摺枠３は木質手摺枠で、それぞれ正面視で本発明の椅子の左右両側に設けられている。各手摺枠３は、それぞれ、二つの立設される柱体３１を有し、各手摺枠３の二つの柱体３１は上板３２と底板３３によって連接される。上板３２と底板３３は二つの柱体３１の上下両端に連接される。また、強化するために、上記二つの手摺枠３の柱体３１の間に二つのたすき棒３５が連接される。また、上記二つの手摺枠３の各底板３３の間に、台板３４が設置され、上記台板３４は、水平に配置した金属枠である。また、外見の美観性を向上するため、金属枠の外部に被覆層が設けられる。上記台板３４により、その両辺にある手摺枠３が連結される。上記台板３４は上記座り座１の下方に位置し、座り座１は可動的に二つの手摺枠３の間に設置される。
【００１８】
上記昇降気圧棒４の構造は、従来技術と同一であるため、ここでは、その詳細な説明を省略する。上記昇降気圧棒４は、上記台板３４に立設されるように上記台板３４に実装される。上記昇降気圧棒４は、その上端が座り座１底部に連接され、ハンドル４１を有している。これにより、上記ハンドル４１で昇降気圧棒４の伸縮を制御することができ、ひいては上記座り座１の昇降を制御することができる（図７のように）。本発明の椅子は、ユーザのニーズに応じて、座り座１の高さを選択できる。上記二つの手摺枠３の間に、所定の幅が保持されるので、座り座１は、上下昇降が調節される時、二つの手摺枠３による干渉がなく自由に作動できる。
【００１９】
図５と図６に示すように、本実施例において、上記座り座１の底部に、揺動装置７が設置される。上記揺動装置７は、底座７１と連接部材７２及び揺動部材７３を備えている。上記底座７１は、座り座１の底部にロックされて固装され、底座７１と連接部材７２とは第一枢軸７４により枢着される。上記連接部材７２は、昇降気圧棒４を連結するための組立て孔７２１が設けられる。連接部材７２と底座７１との間（揺動部材７３下面）に、無段階式定位装置７５が設けられている。上記無段階式定位装置７５は、複数の弾条片７５１を有し、制御棒７６により、上記複数の弾条片７５１のテンション定位が制御されている。これにより、揺動程度が制御可能である。上記揺動部材７３の中央が第二枢軸７７により底座７１に枢着され、上記揺動部材７３の先端が第三枢軸７８により連接部材７２に枢着される。上記背凭れ２の底部に枠体２３が伸び、上記枠体２３は揺動部材７３にロックされ固装される。
【００２０】
ユーザが後へ凭れ、背凭れ２に対して負荷を掛けると、座り座１に固定された底座７１が、第一枢軸７４を中心として、（図６における底座７１の左端が）下（図６における下）へ傾斜揺動する。そして、底座７１の後端（図７における底座１７の左端）が、下へ揺動する。これにより、背凭れ２に枠体２３を介して固定される揺動部材７３が、第三枢軸７８を中心として、下（図６における左下）へ揺動する。これにより、背凭れ２が、後へ傾き、座り座１と背凭れ２の間に、快適に座る角度が形成される。また、より椅子の快適感が得られる。上記の構造により、本考案に係る便利な昇降機能付きの年配者向け椅子が構成される。
【００２１】
本考案に係る便利な昇降機能付きの年配者向け椅子によれば、次の利点が得られる。
１、重心が不安定で容易に転がる問題を解消でき、年配者の使用に適合する。
【００２２】
２、座り座１の下方にある昇降気圧棒４を利用して、椅子に腰かけたままで、座り座１の高さを調整でき、その操作が、簡単で省力であるため、非常に便利である。
【００２３】
３、背凭れ２は、無段階定位気圧棒５を利用してその傾斜角度を調節するため、椅子に腰かけたままで、背凭れ２の傾斜角度を調整できる。
【００２４】
４、座り座１の底部に、揺動装置７が設置されるため、背凭れ２と座り座１が連動し、背凭れ２に負荷を掛けると、より椅子の快適感が得られる。
【００２５】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【産業上の利用可能性】
【００２６】
本考案は、年配者向け椅子に関し、特に、便利な昇降機能付きの年配者向け椅子に関し、年寄りに好ましく適用することができる。
【符号の説明】
【００２７】
１  座り座
１１  座り座フレーム
１２  支持座
２  背凭れ
２１  背凭れフレーム
２２  枢軸
２３  枠体
３  手摺枠
３１  柱体
３２  上板
３３  底板
３４  台板
３５  たすき棒
４  昇降気圧棒
４１  ハンドル
５  気圧棒
５１  ピストン棒
５２  中心弁棒
６  制御棒
６１  外側握り手
６２  ねじりばね
６３  ろ塊
７  揺動装置
７１  底座
７２  連接部材
７２１  組立て孔
７３  揺動部材
７４  第一枢軸
７５  定位装置
７５１  弾条片
７６  制御棒
７７  第二枢軸
７８  第三枢軸
【図１】
0003149291.tif 000003
【図２】
0003149291.tif 000004
【図３】
0003149291.tif 000005
【図４】
0003149291.tif 000006
【図５】
0003149291.tif 000007
【図６】
0003149291.tif 000008
【図７】
0003149291.tif 000009
【図８】
0003149291.tif 000010